(57)【要約】【課題】キャップを容易に交換することができる車両用表示装置を提供する。【解決手段】ケース２０内に外部接続端子が設けられ、外部接続端子を覆う開閉自在なキャップ８９がケース２０に着脱自在に設けられ、キャップ８９はケース２０内に挿入される舌片部９３を有し、舌片部９３に抜止部９５が設けられ、ケース２０内に規制体９７が設けられ、舌片部９３は、規制体９７の切欠部９８に、離脱可能に挿入され、抜止部９５が規制体９７に係合することにより、舌片部９３の引き出し量が所定の引き出し量に規制され、舌片部９３が切欠部９８から離脱するのを阻止する離脱阻止部材１０１がケース２０に設けられ、離脱阻止部材１０１は外部からケース２０に着脱自在である。【選択図】図１６
2015044465.tif 000002
【特許請求の範囲】
【請求項１】
車両に取付けられる表示装置であって、
ケース内に、他の機器と接続可能な外部接続端子が設けられ、
外部接続端子を覆う開閉自在なキャップがケースに着脱自在に設けられ、
キャップはケース内に挿入される舌片部を有し、
キャップを閉じた場合、舌片部がケース内に挿入され、
キャップを開いた場合、舌片部がケース内から外部に引き出し可能であり、
舌片部に抜止部が設けられ、
ケース内に規制体が設けられ、
規制体に切欠部が形成され、
切欠部は一端が開放された開放端を有し、
舌片部は、切欠部に、離脱可能に挿入され、
抜止部が規制体に係合することにより、舌片部の引き出し量が所定の引き出し量に規制され、
舌片部が切欠部から離脱するのを阻止する離脱阻止部材がケースに設けられ、
離脱阻止部材は外部からケースに着脱自在であることを特徴とする車両用表示装置。
【請求項２】
離脱阻止部材は、棒状部と、棒状部に設けられた取付板とを有し、
ケースには、内外に貫通する貫通孔が形成され、
棒状部が外部から貫通孔に挿入されてケース内に突入し、
取付板がケースの表面に着脱自在に取付けられ、
棒状部の先端が切欠部の開放端に対向することにより、棒状部が舌片部の切欠部からの離脱を阻止することを特徴とする請求項１記載の車両用表示装置。
【発明の詳細な説明】
【技術分野】
【０００１】
本発明は、例えば電動自転車等の車両に取付けられる車両用表示装置に関する。
【背景技術】
【０００２】
従来、この種の車両用表示装置としては、電動自転車のハンドルに取付けられるものがあり、表示装置の液晶画面には、走行速度、走行距離、バッテリの残量、アシストモード等の走行に関する様々な情報が表示される。表示装置のケース内にはＵＳＢ端子が設けられ、ＵＳＢ端子を覆う開閉自在なキャップがケースに設けられている。また、ケースは上部ケース体と下部ケース体とに２分割可能である。
【０００３】
尚、下記特許文献１には、キャップを備えたビデオカメラが開示されている。
【先行技術文献】
【特許文献】
【０００４】
【特許文献１】特開２０１０−２３８６６０
【発明の概要】
【発明が解決しようとする課題】
【０００５】
しかしながら上記従来形式では、キャップを交換する場合、ケースを上部ケース体と下部ケース体とに分解して、キャップをケースから取り外す必要があるため、交換作業に手間を要するといった問題がある。
【０００６】
また、上記特許文献１では、この文献１の図８に示されるように、ビデオカメラのカメラケースは第１の外筐体２と第２の外筐体３とに２分割可能であり、キャップ１を交換する場合、カメラケースを第１の外筐体２と第２の外筐体３とに分解して、キャップ１をカメラケースから取り外す必要があるため、交換作業に手間を要するといった問題がある。
【０００７】
本発明は、キャップを容易に交換することができる車両用表示装置を提供することを目的とする。
【課題を解決するための手段】
【０００８】
上記目的を達成するために、本第１発明は、車両に取付けられる表示装置であって、
ケース内に、他の機器と接続可能な外部接続端子が設けられ、
外部接続端子を覆う開閉自在なキャップがケースに着脱自在に設けられ、
キャップはケース内に挿入される舌片部を有し、
キャップを閉じた場合、舌片部がケース内に挿入され、
キャップを開いた場合、舌片部がケース内から外部に引き出し可能であり、
舌片部に抜止部が設けられ、
ケース内に規制体が設けられ、
規制体に切欠部が形成され、
切欠部は一端が開放された開放端を有し、
舌片部は、切欠部に、離脱可能に挿入され、
抜止部が規制体に係合することにより、舌片部の引き出し量が所定の引き出し量に規制され、
舌片部が切欠部から離脱するのを阻止する離脱阻止部材がケースに設けられ、
離脱阻止部材は外部からケースに着脱自在であるものである。
【０００９】
これによると、離脱阻止部材をケースから取り外すことにより、舌片部を切欠部から離脱させることができる。これにより、抜止部が規制体に係合せず、舌片部の引き出し量の規制が解除されるため、舌片部をケース内から外部へ引き出してキャップをケースから取り外すことができる。
【００１０】
その後、別の新しいキャップの舌片部を、外部からケース内に挿入し、規制体の切欠部に挿入する。その後、離脱阻止部材を外部からケースに装着することにより、舌片部が切欠部から離脱するのを阻止され、新しいキャップがケースに設けられる。このように、ケースを２つに分解することなく、ケースを組み立てたままの状態で、ケースの外側からキャップを交換することが可能であるため、キャップを容易に交換することができる。
【００１１】
本第２発明における車両用表示装置は、離脱阻止部材は、棒状部と、棒状部に設けられた取付板とを有し、
ケースには、内外に貫通する貫通孔が形成され、
棒状部が外部から貫通孔に挿入されてケース内に突入し、
取付板がケースの表面に着脱自在に取付けられ、
棒状部の先端が切欠部の開放端に対向することにより、棒状部が舌片部の切欠部からの離脱を阻止するものである。
【００１２】
これによると、取付板をケースから取り外すとともに、棒状部を貫通孔からケースの外部に脱抜することにより、離脱阻止部材がケースから取り外される。また、棒状部を貫通孔からケースの内部に挿入するとともに、取付板をケースに取付けることにより、離脱阻止部材がケースに装着される。
【発明の効果】
【００１３】
以上のように本発明によると、キャップを容易に交換することができる。
【図面の簡単な説明】
【００１４】
【図１】本発明の第１の実施の形態における自転車の側面図である。
【図２】同、自転車に取付けられた表示装置の平面図である。
【図３】同、表示装置の斜視図であり、表示部材を支持部材に装着した状態を示す。
【図４】同、表示装置の斜視図であり、表示部材を支持部材から取り外した状態を示す。
【図５】同、表示装置の縦断面図である。
【図６】同、表示装置の表示部材を底面側から見た斜視図であり、キャップと離脱阻止部材とを取り外した状態を示す。
【図７】同、表示装置の係合孔と係合爪との拡大断面図であり、係合爪が係合孔の下方に脱抜された状態を示す。
【図８】同、表示装置の表示部材を支持部材に装着したときの縦断面図であり、係合爪と係合孔とが係合している状態を示す。
【図９】同、表示装置の係合孔と係合爪との拡大断面図であり、係合爪が係合孔に挿入された状態を示す。
【図１０】同、表示装置の表示部材を支持部材に対して離脱方向へスライドさせたときの縦断面図である。
【図１１】図４におけるＸ−Ｘ矢視図である。
【図１２】同、表示装置のキャップを開いたときの表示部材の横断面図である。
【図１３】同、表示装置のキャップの斜視図である。
【図１４】同、表示装置のキャップを取り外し、表示部材の上部ケース体の一部を下方から見た斜視図である。
【図１５】同、表示装置のキャップの舌片部を切欠部に挿入し、表示部材の上部ケース体の一部を下方から見た斜視図である。
【図１６】同、表示装置の表示部材のキャップの取付箇所の縦断面図であり、キャップと離脱阻止部材とを取付けた状態を示す。
【図１７】図１６におけるＸ−Ｘ矢視図である。
【図１８】同、表示装置の表示部材を下方から見た斜視図であり、離脱阻止部材を表示部材の下部ケース体に取付けた状態を示す。
【図１９】同、表示装置の表示部材の離脱阻止部材の斜視図である。
【図２０】同、表示装置の表示部材のキャップの取付箇所の縦断面図であり、離脱阻止部材を取り外して、キャップの舌片部を切欠部から下方に離脱させた状態を示す。
【図２１】図２０におけるＸ−Ｘ矢視図である。
【図２２】本発明の第２の実施の形態における自転車に取付けられた表示装置の斜視図である。
【発明を実施するための形態】
【００１５】
以下、本発明における実施の形態を、図面を参照して説明する。
（第１の実施の形態）
第１の実施の形態では、図１に示すように、１は車両の一例である電動自転車である。この電動自転車１は、フレーム２と、ハンドル３と、前車輪４と、後車輪５と、ペダル６の踏力を後車輪５に伝達するチェン（図示省略）と、チェンに補助駆動力を付与する電動式の補助駆動装置８と、補助駆動装置８に電力を供給するバッテリ９等を有している。尚、補助駆動装置８はモータ８ａや減速機等から構成されている。
【００１６】
図１，図２に示すように、電動自転車１には、走行速度、走行距離、時刻、バッテリ９の残量、アシストモード等の様々な走行情報を表示する表示装置１５が取付けられている。図３，図４に示すように、表示装置１５は、ハンドル３（固定部材の一例）に取付けられる支持部材１６と、支持部材１６に着脱自在に接合される表示部材１７とを有している。
【００１７】
図５，図６に示すように、表示部材１７は、第１のケース２０と、液晶画面ユニット２１と、第１の回路基板２２と、第１の回路基板２２に電気的に接続されている複数本の第１の接続端子２３とを有している。第１のケース２０は上部ケース体２４と下部ケース体２５とに上下２分割されている。これら上部ケース体２４と下部ケース体２５とは複数のねじによって連結されている。また、上部ケース体２４は、上部に、ガラス又は樹脂製の透明板２６を有している。第１の回路基板２２は第１のケース２０内に保持されている。液晶画面ユニット２１は、第１の回路基板２２上に設けられて、第１のケース２０内に収納されている。
【００１８】
図４，図５に示すように、支持部材１６は、環状の取付部３５と、第２のケース３６と、第２のケース３６内に収納された第２の回路基板３７と、第２の回路基板３７に電気的に接続されている複数本の第２の接続端子３８とを有している。
【００１９】
第１のケース２０は、下部に、第２のケース３６に接合する第１の接合面３１を有している。また、第２のケース３６は、上部に、第１のケース２０の第１の接合面３１に接合する第２の接合面４０を有している。
【００２０】
表示部材１７は、第１および第２の接合面３１，４０に沿って着脱方向Ａ，Ｂ（前後方向に相当）にスライドすることにより、支持部材１６に着脱可能である。
図６に示すように、第１の接続端子２３の先端部（下端部）は第１の接合面３１に露出し、図４に示すように、第２の接続端子３８の先端部（上端部）は第２の接合面４０に露出している。表示部材１７を支持部材１６に装着した場合、図５に示すように、第１の接続端子２３の先端部が第２の接続端子３８の先端部に接触し、第１の回路基板２２と第２の回路基板３７とが第１および第２の接続端子２３，３８を介して電気的に接続される。
【００２１】
図６，図７に示すように、表示部材１７の第１のケース２０の下面には、係合孔６０（第１の係合部の一例）が設けられている。係合孔６０は、第１のケース２０の内側に形成された差込孔部６０ａと、差込孔部６０ａに連通し且つ第１のケース２０の下面に開口する開口部６０ｂとを有している。また、図４，図７に示すように、支持部材１６の第２のケース３６の上面には、係合爪６１（第２の係合部の一例）が設けられている。
【００２２】
図８，図９の仮想線で示すように、係合孔６０は、表示部材１７を支持部材１６に装着する装着方向Ａ（前から後への方向）において、係合爪６１に係合し、図９の実線，図１０に示すように、表示部材１７を支持部材１６から離脱する離脱方向Ｂ（後から前への方向）において、係合爪６１から離脱する。尚、図８および図９の仮想線で示すように、係合孔６０が係合爪６１に係合した際、係合爪６１は開口部６０ｂから差込孔部６０ａに差し込まれる。また、図９の実線および図１０で示すように係合孔６０が係合爪６１から離脱した際、係合爪６１は、差込孔部６０ａから脱抜され、図７に示すように開口部６０ｂから第１のケース２０の下方に抜き出される。
【００２３】
図４，図６に示すように、係合孔６０と係合爪６１とは、幅方向（左右方向）において左右一対設けられているとともに、着脱方法Ａ，Ｂ（前後方向）において３組（複数組）設けられている。
【００２４】
図２〜図４に示すように、表示部材１７には、電源のオンとオフとを切換えるための電源用操作ボタン６７が設けられている。
図２，図１１に示すように、表示部材１７の第１のケース２０（ケースの一例）内には、パーソナルコンピューター（他の機器の一例）と接続可能なＵＳＢ端子８８（外部接続端子の一例）が設けられている。また、図２〜図４，図１１，図１２に示すように、ＵＳＢ端子８８を覆う開閉自在なキャップ８９が第１のケース２０に着脱自在に設けられている。第１のケース２０には端子取付用開口部９０が形成され、ＵＳＢ端子８８は端子取付用開口部９０に面して設けられている。
【００２５】
図１３，図１４に示すように、キャップ８９は、ゴム等の弾性材料で製作されており、四角板状の本体部９２と、本体部９２に設けられた細長い舌片部９３とを有している。第１のケース２０内には収納空間９４が形成され、図１１で示すように、キャップ８９を閉じた場合、舌片部９３が収納空間９４内に挿入される。また、図１２で示すように、キャップ８９を開いた場合、舌片部９３が収納空間９４内から第１のケース２０の外部へ引き出し可能である。
【００２６】
舌片部９３の先端には抜止部９５が設けられている。抜止部９５の厚さおよび幅は舌片部９３の厚さおよび幅よりも大きく形成されている。図１４，図１５に示すように、収納空間９４内には規制板９７（規制体の一例）が設けられ、規制板９７には切欠部９８が形成されている。切欠部９８は、下端（一端の一例）が開放された開放端９８ａ（図２１参照）を有している。図１５〜図１７に示すように、舌片部９３は、切欠部９８に、下方から離脱可能に挿入されている。図１５に示すように、抜止部９５が規制板９７に係合することにより、舌片部９３の引き出し量が所定の引き出し量に規制される。
【００２７】
図６，図１６〜図１９に示すように、舌片部９３が切欠部９８から下方へ離脱するのを阻止する離脱阻止部材１０１が、第１のケース２０の下部ケース体２５に設けられている。離脱阻止部材１０１は、断面がＴ形状の棒状部１０２と、棒状部１０２に設けられた取付板１０３とを有している。第１のケース２０の下部ケース体２５には、内外に貫通するＴ形状の貫通孔１０４が形成されている。図１６，図１７に示すように、棒状部１０２は、第１のケース２０の外部（下方）から貫通孔１０４に挿入され、収納空間９４内に突入している。棒状部１０２の先端（上端）が規制板９７の切欠部９８の開放端９８ａに下方から対向することにより、棒状部１０２は、舌片部９３が切欠部９８から下方へ離脱するのを阻止している。
【００２８】
図１８に示すように、取付板１０３は、ねじ１０５によって外部から着脱自在に第１のケース２０の下部ケース体２５に取付けられており、第１のケース２０の角隅部を構成している。図６に示すように、取付板１０３には位置決め用突起１０６が設けられ、第１のケース２０には位置決め用孔１０７が形成されている。取付板１０３を第１のケース２０に取付けた際、位置決め用突起１０６が位置決め用孔１０７に嵌め込まれることにより、取付板１０３の取付位置が正確に決められる。
【００２９】
以下、上記構成における作用を説明する。
図３に示すように表示部材１７を支持部材１６に装着すると、図５に示すように、各第１の接続端子２３の先端が各第２の接続端子３８の先端に接触し、これにより、第１および第２の接続端子２３，３８を介して、第１の回路基板２２と第２の回路基板３７とが電気的に接続される。そして、操作ボタン６７を押すと、バッテリ９の電力が、第２の回路基板３７から、第１および第２の接続端子２３，３８を介して、第１の回路基板２２に供給され、図２に示すように、様々な走行情報が表示部材１７の液晶画面ユニット２１に表示される。
【００３０】
また、表示部材１７を支持部材１６に装着する際、図４，図７に示すように表示部材１７を支持部材１６に向けて下降し、図９，図１０に示すように支持部材１６の各係合爪６１を表示部材１７の各係合孔６０の開口部６０ｂに下方から挿入し、図８および図９の仮想線で示すように表示部材１７を装着方向Ａにスライドさせる。これにより、各係合爪６１が各係合孔６０の開口部６０ｂから差込孔部６０ａに差し込まれ、各係合孔６０と各係合爪６１とが係合する。これにより、表示部材１７が支持部材１６に装着される。
【００３１】
また、表示部材１７を支持部材１６から取り外す場合、図９の実線および図１０に示すように、表示部材１７を離脱方向Ｂにスライドさせることにより、各係合爪６１を差込孔部６０ａから開口部６０ｂへ脱抜し、その後、図４，図７に示すように、表示部材１７を支持部材１６から持上げて、各係合爪６１を開口部６０ｂの下方へ離脱させる。これにより、各係合孔６０と各係合爪６１とが離脱し、表示部材１７が支持部材１６から取り外される。
【００３２】
上記のようにして表示部材１７を支持部材１６から取り外した後、図４の仮想線および図１２で示すように、表示部材１７のキャップ８９を開いてＵＳＢ端子８８を露出させ、ＵＳＢ端子８８にＵＳＢケーブルの一端部を差し込んで、ＵＳＢケーブルを介して表示部材１７をパーソナルコンピュータに接続することができる。そして、パーソナルコンピュータを操作することにより、表示部材１７内のメモリーに記憶されている様々な走行情報をパーソナルコンピュータで解析して、モータ８ａ等の異常の有無等を診断することができる。
【００３３】
尚、キャップ８９を開く際、キャップ８９を回動しながら舌片部９３を第１のケース２０内から外部へ引き出すことにより、キャップ８９を容易に開くことができる。この際、図１２で示すように、抜止部９５が規制板９７に係合することにより、舌片部９３の引き出し量が所定の引き出し量に規制される。このため、舌片部９３が第１のケース２０内から外部へ引き抜かれてしまうのを防止することができる。尚、図１６，図１７に示すように、離脱阻止部材１０１の棒状部１０２の先端が規制板９７の切欠部９８の開放端９８ａに下方から対向しているため、舌片部９３が切欠部９８から下方へ離脱することは阻止される。
【００３４】
また、キャップ８９を交換する場合、キャップ８９を開いた状態で、図２０，図２１で示すように、ねじ１０５を外して、取付板１０３を第１のケース２０の下部ケース体２５から取り外すとともに、棒状部１０２を貫通孔１０４（図６参照）から下方へ脱抜することにより、離脱阻止部材１０１を第１のケース２０から取り外すことができる。これにより、舌片部９３を規制板９７の切欠部９８内から下方へ離脱させることができる。
【００３５】
このように、舌片部９３を切欠部９８から離脱させることにより、抜止部９５が規制板９７に係合せず、舌片部９３の引き出し量の規制が解除される。このため、舌片部９３を、収納空間９４内から端子取付用開口部９０を通じて第１のケース２０の外部へ引き出すことができる。これにより、図６に示すように、第１のケース２０を上部ケース体２４と下部ケース体２５とに分解することなく、キャップ８９を第１のケース２０から取り外すことができる。
【００３６】
その後、図２０，図２１に示すように、別の新しいキャップ８９の舌片部９３を、第１のケース２０の外部から端子取付用開口部９０を通じて収納空間９４内に差し込み、図１６，図１７で示すように、下方から切欠部９８に挿入する。次に、棒状部１０２を貫通孔１０４に挿入し、ねじ１０５を用いて、取付板１０３を第１のケース２０の下部ケース体２５に締結することにより、図１６〜図１８に示すように離脱阻止部材１０１が第１のケース２０に装着される。
【００３７】
これにより、舌片部９３が切欠部９８から下方へ離脱することは阻止され、第１のケース２０を上部ケース体２４と下部ケース体２５とに分解することなく、図４に示すように新しいキャップ８９を第１のケース２０に取付けることができる。このように、離脱阻止部材１０１の着脱は第１のケース２０の外部から行うことができるため、キャップ８９を交換するときに、第１のケース２０を上部ケース体２４と下部ケース体２５とに分解する必要はなく、第１のケース２０を組み立てたままの状態で、第１のケース２０の外部からキャップ８９を交換することが可能であり、キャップ８９の交換作業が容易に行える。
【００３８】
（第２の実施の形態）
上記第１の実施の形態では、図４に示すように、表示部材１７を支持部材１６から取り外すことが可能な表示装置１５を挙げたが、以下に説明する第２の実施の形態では、図２２に示すように、取り外し可能な構成ではなく、表示部材１２１と支持部材１２２とが一体的に形成された表示装置１２３である。表示部材１２１のケース１２４にキャップ８９が設けられ、ケース１２４の内部にＵＳＢ端子８８等が設けられている。尚、ケース１２４は上部ケース体２４と下部ケース体２５とに２分割されている。
【００３９】
これによると、上記第１の実施の形態と同様の作用・効果を得ることができる。
上記各実施の形態では、外部接続端子の一例としてＵＳＢ端子８８を挙げたが、ＵＳＢ端子８８に限定されるものではなく、他の種類の端子であってもよい。
【産業上の利用可能性】
【００４０】
本発明は、電動自転車に取付けられる表示装置に最適であるが、電動自転車以外の自転車に取付けてもよく、或は、自転車以外の車両、例えば自動二輪や車椅子等に取付けてもよい。
【符号の説明】
【００４１】
１      電動自転車（車両）
１５    表示装置
２０    第１のケース（ケース）
８８    ＵＳＢ端子（外部接続端子）
８９    キャップ
９３    舌片部
９５    抜止部
９７    規制板（規制体）
９８    切欠部
９８ａ  開放端
１０１  離脱阻止部材
１０２  棒状部
１０３  取付板
１０４  貫通孔
１２３  表示装置
１２４  ケース
【図１】
2015044465.tif 000003
【図２】
2015044465.tif 000004
【図３】
2015044465.tif 000005
【図４】
2015044465.tif 000006
【図５】
2015044465.tif 000007
【図６】
2015044465.tif 000008
【図７】
2015044465.tif 000009
【図８】
2015044465.tif 000010
【図９】
2015044465.tif 000011
【図１０】
2015044465.tif 000012
【図１１】
2015044465.tif 000013
【図１２】
2015044465.tif 000014
【図１３】
2015044465.tif 000015
【図１４】
2015044465.tif 000016
【図１５】
2015044465.tif 000017
【図１６】
2015044465.tif 000018
【図１７】
2015044465.tif 000019
【図１８】
2015044465.tif 000020
【図１９】
2015044465.tif 000021
【図２０】
2015044465.tif 000022
【図２１】
2015044465.tif 000023
【図２２】
2015044465.tif 000024